(57)【要約】【課題】瓶の胴部に貼り付けたラベルの保護が可能な包装箱用の瓶保持体及び補助部材を提供する。【解決手段】胴部２２にラベル２６を設けた瓶２０を、胴部２２の周囲に隙間を設けた状態で包装箱１０内に横置きで保持する包装箱用の瓶保持体１であって、底部保持部３０と、中間保持部４０と、頭部規制部５０と、を備え、底部保持部３０は、第１横板部３１と、第１横板部３１に穿設され瓶２０の底部２１を挿入する底部挿入孔３２と、を有し、中間保持部４０は、底板部４１と、底板部４１から上向きに突出する中間突出部４２と、中間突出部４２に凹設され瓶２０の肩部２３に嵌合する中間凹部４３と、を有し、頭部規制部５０は、第２横板部５１と、第２横板部５１から瓶２０の頭部２５の上方に突出する頭部突出部５２と、を有する。【選択図】図１
2014012557.tif 000002
【特許請求の範囲】
【請求項１】
板状体を折り曲げて形成され、ラベルが貼られた胴部と前記胴部よりも細い首部とを有する瓶を、前記瓶の胴部の周囲に隙間を設けた状態で包装箱内に横置きで保持する包装箱用の瓶保持体であって、
前記瓶の底部を保持する底部保持部と、前記瓶の肩部又は首部を下側から保持する中間保持部と、前記瓶の頭部の上側への移動を規制する頭部規制部と、を備え、
前記底部保持部は、前記瓶の底部側に立設される第１横板部と、前記第１横板部に穿設され前記瓶の底部を挿入する底部挿入孔と、を有し、
前記中間保持部は、前記瓶の下側に離間して配置される底板部と、前記底板部から上向きに突出する中間突出部と、前記中間突出部に凹設され前記瓶の肩部又は首部に嵌合する中間凹部と、を有し、
前記頭部規制部は、前記瓶の頭部側に立設される第２横板部と、前記第２横板部から前記瓶の頭部の上方に突出する頭部突出部と、を有する、
ことを特徴とする包装箱用の瓶保持体。
【請求項２】
前記頭部突出部は、上側に向かうほど箱内側に突出するように傾斜していることを特徴とする請求項１に記載の包装箱用の瓶保持体。
【請求項３】
前記頭部規制部は、前記頭部突出部の下側を半円状に切欠いて形成され、前記瓶の頭部の上半部に上側から係合する凹欠部を備えることを特徴とする請求項１又は請求項２に記載の包装箱用の瓶保持体。
【請求項４】
前記凹欠部は、前記瓶の頭部に設置された王冠の側面に当接することを特徴とする請求項３に記載の包装箱用の瓶保持体。
【請求項５】
前記中間凹部は、少なくとも前記瓶の肩部を含む部位に嵌合することを特徴とする請求項１から請求項４のいずれか１項に記載の包装箱用の瓶保持体。
【請求項６】
前記底部保持部は、前記第１横板部の上端に山折れ線を介して連続し、前記包装箱の側壁と前記第１横板部の間に配置される折返し部を有し、
前記折返し部と前記第２横板部とで前記瓶を挟持することを特徴とする請求項１から請求項５のいずれか１項に記載の包装用箱の瓶保持体。
【請求項７】
前記底部挿入孔は、前記底部挿入孔の前記底板部側の周縁に連続するとともに前記折返し部に向かって折り曲げられる折曲片を有し、
前記折曲片の先端は、前記折返し部に当接することを特徴とする請求項６に記載の包装箱用の瓶保持体。
【請求項８】
前記中間凹部は、前記瓶の側面形状に対応した形状に切り欠かれるとともに、前記瓶の頭部側と底部側で前記中間凹部の周縁にそれぞれ連続する一対の切欠片を備え、
前記一対の切欠片は、前記中間凹部の内部に落とし込むように折り曲げられていることを特徴とする請求項１から請求項７のいずれか１項に記載の包装箱用の瓶保持体。
【請求項９】
請求項１から請求項８のいずれか１項に記載の包装箱用の瓶保持体に保持された前記瓶の首部を保持する補助部材であって、
前記瓶の首部を横断するように配置され、前記包装箱の前記瓶の軸方向に平行な一対の側壁に当接するとともに、前記包装箱の上蓋に当接する本体部と、
前記本体部の下側に凹設され、前記瓶の首部に嵌合する嵌合部と、を備えることを特徴とする補助部材。
【請求項１０】
請求項９に記載の補助部材であって、
前記本体部は、
前記瓶の頭部側と胴部側に互いに離間して立設された一対の立壁部と、
前記一対の立壁部の下端同士を連結する下壁部と、
前記一対の立壁部の上端同士を連結する上壁部と、を備える筒状体から成り、
前記嵌合部は、前記首部に対応する位置において、前記一対の立壁部及び前記下壁部の一部を切り欠いて形成されていることを特徴とする補助部材。
【請求項１１】
請求項１０に記載の補助部材であって、
前記上壁部は、前記一対の立壁部の上端にそれぞれ設けられた一対の折曲片を重ね合わせて構成されており、
一方の折曲片の両端部には、係合凹部が形成され、
他方の折曲片の両端部には、前記係合凹部に係合する係合片が設けられていることを特徴とする補助部材。
【請求項１２】
板状体を折り曲げて形成され、ラベルが貼られた胴部と前記胴部よりも細い首部とを有する瓶を、前記瓶の胴部の周囲に隙間を設けた状態で包装箱内に横置きで保持する包装箱用の瓶保持体であって、
前記瓶の底部を保持する底部保持部と、前記瓶の肩部又は首部を下側から保持する中間保持部と、前記瓶の頭部の上方及び側方への移動を規制する頭部規制部と、を備え、
前記底部保持部は、前記瓶の底部側に立設される第１横板部と、前記第１横板部に穿設され前記瓶の底部を挿入する底部挿入孔と、を有し、
前記中間保持部は、前記瓶の下側に離間して配置される底板部と、前記底板部から上向きに突出する中間突出部と、前記中間突出部に凹設され前記瓶の肩部又は首部に嵌合する中間凹部と、を有し、
前記頭部規制部は、前記瓶の頭部側に立設される第２横板部と、前記第２横板部から前記瓶の頭部の上方に突出する頭部突出部と、前記頭部突出部の下側に凹設された凹欠部と、を有し、
前記凹欠部は、前記瓶の頭部に上方及び側方から係合しており、前記凹欠部の上端側は、前記瓶の頭部に設置された蓋部材を超える位置に配置されていることを特徴とする包装箱用の瓶保持体。
【発明の詳細な説明】
【技術分野】
【０００１】
本発明は、包装箱の内部で瓶を保持する包装箱用の瓶保持体及び補助部材に関する。
【背景技術】
【０００２】
従来、飲料や調味料などを封入した瓶を包装箱に横置きで収納する際に、包装箱の内部に瓶保持体を設置して瓶の移動を抑制することが行われている。
【０００３】
例えば、特許文献１には、枠状に形成した紙製の瓶胴部保持体と、横三角筒状に形成した紙製の瓶肩部保持体とを、直方体状の贈答箱内に収容して用いる贈答箱用の瓶保持体が開示されている。瓶胴部保持体は、左右の壁板と中央の胴部仕切板とを有しており、左右の壁板と中央の胴部仕切板の間に瓶の胴部が収容されている。
【０００４】
また、特許文献２には、底壁部から上向きに突出した複数の仕切壁部を有する胴体仕切部と、横方向に沿った傾斜面を有する枕部と、を連続部によって一体成形した包装用仕切材が開示されている。この包装用仕切材では、複数の仕切壁部の間に瓶の胴部が収容されている。
【０００５】
また、特許文献３には、包装箱内に、第１山型支受部、中央底面板及び第２山型支受部を連成して構成された中仕切りが収容され、第１山型支受部及び第２山型支受部に形成されたそれぞれの凹欠部で瓶の首部と胴部とを支受する瓶用包装構造が開示されている。
【先行技術文献】
【特許文献】
【０００６】
【特許文献１】実開平６−４９３１９号公報
【特許文献２】特開２００２−３３２０３２号公報
【特許文献３】実用新案登録第３１１１３０８号公報
【発明の概要】
【発明が解決しようとする課題】
【０００７】
ところで、飲料等の入った瓶を贈答物として注文する際に、瓶の胴部に貼り付けるラベルのデザインやメッセージを注文者が指定できるようにしたサービスが考えられている。このようなサービスの場合、特注されたラベルの保護が重要になる。
【０００８】
しかしながら、特許文献１，２に記載の構造では、瓶の胴部が底面部や仕切壁部に接触する構造となっているので、包装箱の搬送中に瓶が回転すると、胴部に貼り付けたラベルが底面部や仕切壁部と擦れ合い、ラベルが損傷するおそれがある。
また、特許文献３に記載の構造では、第１山型支受部及び第２山型支受部によって瓶の胴部が中央底面板から浮いた状態で支持されるが、瓶の上蓋側への移動を防止する対策がとられてないので、瓶の胴部が上蓋の裏面に接触してラベルが損傷するおそれがある。また、特許文献３に記載の構造では、搬送中に瓶が回転した場合に、瓶の胴部を支受する第２山型支受部でラベルが傷つくおそれがある。
【０００９】
本発明は、これらの問題に鑑みて成されたものであり、瓶の胴部に貼り付けたラベルの保護が可能な包装箱用の瓶保持体及び補助部材を提供することを課題とする。
【課題を解決するための手段】
【００１０】
本発明は、板状体を折り曲げて形成され、ラベルが貼られた胴部と前記胴部よりも細い首部とを有する瓶を、前記瓶の胴部の周囲に隙間を設けた状態で包装箱内に横置きで保持する包装箱用の瓶保持体であって、前記瓶の底部を保持する底部保持部と、前記瓶の肩部又は首部を下側から保持する中間保持部と、前記瓶の頭部の上側への移動を規制する頭部規制部と、を備え、前記底部保持部は、前記瓶の底部側に立設される第１横板部と、前記第１横板部に穿設され前記瓶の底部を挿入する底部挿入孔と、を有し、前記中間保持部は、前記瓶の下側に離間して配置される底板部と、前記底板部から上向きに突出する中間突出部と、前記中間突出部に凹設され前記瓶の肩部又は首部に嵌合する中間凹部と、を有し、前記頭部規制部は、前記瓶の頭部側に立設される第２横板部と、前記第２横板部から前記瓶の頭部の上方に突出する頭部突出部と、を有することを特徴とする包装箱用の瓶保持体である。
【００１１】
このような構成によれば、底部挿入孔に挿入された瓶の底部が第１横板部に保持され、中間凹部に嵌合した瓶の肩部又は首部が中間突出部に保持されるので、瓶の胴部が底板部から浮いた状態で支持される。これにより、瓶の胴部の周囲に隙間を確保することが可能となり、搬送中に瓶が回転した場合でも、包装箱の内面や他の瓶等にラベルが接触することがない。また、第１横板部及び中間突出部によって瓶全体の下側への移動及び側方への移動が規制され、頭部突出部によって瓶の頭部の上側への移動が規制され、第１横板部によって瓶の底部の上側への移動が規制されるので、包装箱の搬送中に瓶が移動して包装箱の内面や他の瓶等にラベルが接触するのを防止することができる。
【００１２】
また、前記頭部突出部は、上側に向かうほど箱内側に突出するように傾斜しているのが好ましい。
【００１３】
このような構成によれば、頭部突出部が、上側に向かうほど箱内側に突出するように傾斜しているので、瓶の頭部を瓶保持体に設置したり取り出したりする際に、瓶の頭部と頭部突出部とが干渉するのを緩和することができる。そのため、瓶の収容動作と取り出し動作が容易になる。
【００１４】
また、前記頭部規制部は、前記頭部突出部の下側を半円状に切欠いて形成され、前記瓶の頭部の上半部に上側から係合する凹欠部を備えるのが好ましい。
【００１５】
このような構成によれば、頭部突出部の下側を半円状に切欠いて形成された凹欠部が、瓶の頭部の上半部に上側から係合するので、例えば特許文献１のように瓶の頭部を貫通孔に挿入する場合に比較して、凹欠部に対する瓶の頭部の取り付け及び取り外しを容易に行うことができる。
【００１６】
また、前記凹欠部は、前記瓶の頭部に設置された王冠の側面に当接する構成とするのが好ましい。
【００１７】
このような構成によれば、凹欠部が、瓶の頭部に設置された王冠の側面に当接するので、瓶の頭部を凹欠部から取り外す際に、王冠の端部が凹欠部に引っ掛かることがない。そのため、瓶の頭部を凹欠部からスムーズに取り外すことができるとともに、王冠が凹欠部に引っ掛かって瓶の頭部から脱落するのを防止することができる。
【００１８】
また、前記中間凹部は、少なくとも前記瓶の肩部を含む部位に嵌合する構成とするのが好ましい。
【００１９】
このような構成によれば、中間凹部が少なくとも瓶の肩部を含む部位に嵌合するので、瓶の首部を支持する場合に比較して、質量の大きい瓶の胴部の近くを支持することができるので、瓶を安定して支持することができる。
【００２０】
また、前記底部保持部は、前記第１横板部の上端に山折れ線を介して連続し、前記包装箱の側壁と前記第１横板部の間に配置される折返し部を有し、前記折返し部と前記第２横板部とで前記瓶を挟持する構成とするのが好ましい。
【００２１】
このような構成によれば、折返し部と第２横板部とで瓶が挟持されるので、瓶の軸方向への移動を抑制することができると共に、瓶の回転を抑制することができる。
【００２２】
また、前記底部挿入孔は、前記底部挿入孔の前記底板部側の周縁に連続するとともに前記折返し部に向かって折り曲げられる折曲片を有し、前記折曲片の先端は、前記折返し部に当接する構成とするのが好ましい。
【００２３】
このような構成によれば、底部挿入孔の底板部側の周縁から折返し部に向かって折り曲げられる折曲片の先端が折返し部に当接しているので、第１横板部と折返し部との間に隙間を確保することができ、瓶の底部が底部挿入孔から脱落し難くなる。
【００２４】
また、前記中間凹部は、前記瓶の側面形状に対応した形状に切り欠かれるとともに、前記瓶の頭部側と底部側で前記中間凹部の周縁にそれぞれ連続する一対の切欠片を備え、前記一対の切欠片は、前記中間凹部の内部に落とし込むように折り曲げられている構成とするのが好ましい。
【００２５】
このような構成によれば、中間凹部の周縁に連続して設けられた一対の切欠片が中間凹部の内部に落とし込むように折り曲げられているので、中間凹部の内側領域を一対の切欠片で覆うことができる。そのため、瓶保持体を上方から見たときに、中間凹部を通して包装箱の内部が見えてしまうことを防止することができる。
【００２６】
さらに、本発明は、前記した包装箱用の瓶保持体に並列に保持された複数の前記瓶の首部を保持する補助部材であって、前記瓶の首部を横断するように配置され、前記包装箱の前記瓶の軸方向に平行な一対の側壁に当接するとともに、前記包装箱の上蓋に当接する本体部と、前記本体部の下側に凹設され、前記瓶の首部に嵌合する嵌合部と、を備えることを特徴とする。
【００２７】
このような構成によれば、瓶の首部を横断するように配置された本体部が、包装箱の瓶の軸方向に平行な一対の側壁に当接するとともに、包装箱の上蓋に当接するので、包装箱に対して本体部が保持される。そして、本体部の下側に凹設された嵌合部に瓶の首部が嵌合することで、瓶の首部が本体部に保持される。その結果、瓶の首部が補助部材を介して包装箱に保持されることとなり、瓶の底部等を保持する瓶保持体の負担が軽減されるので、例えば包装箱の移送中に瓶保持体が破損することを抑制することができる。
【００２８】
また、前記本体部は、前記瓶の頭部側と胴部側に互いに離間して立設された一対の立壁部と、前記一対の立壁部の下端同士を連結する下壁部と、前記一対の立壁部の上端同士を連結する上壁部と、を備える筒状体から成り、前記嵌合部は、前記首部に対応する位置において、前記一対の立壁部及び前記下壁部の一部を切り欠いて形成されている構成とするのが好ましい。
【００２９】
このような構成によれば、本体部は、一対の立壁部と下壁部と上壁部とを備える筒状体から成るので、補助部材の追加による包装箱の重量増加を軽減することができる。また、首部に対応する位置で一対の立壁部及び下壁部の一部を切り欠くという簡易な手法で嵌合部を容易に形成することができる。
【００３０】
また、前記上壁部は、前記一対の立壁部の上端にそれぞれ設けられた一対の折曲片を重ね合わせて構成されており、一方の折曲片の両端部には、係合凹部が形成され、他方の折曲片の両端部には、前記係合凹部に係合する係合片が設けられている構成とするのが好ましい。
【００３１】
このような構成によれば、一対の立壁部の上端にそれぞれ設けられた一対の折曲片を重ね合わせ、一方の折曲片の両端部に形成された係合凹部に、他方の折曲片の両端部に形成された係合片を係合させることで、筒状体を容易に形成することができる。そのため、補助部材を組み立てる手間を軽減することができる。
【００３２】
また、本発明は、板状体を折り曲げて形成され、ラベルが貼られた胴部と前記胴部よりも細い首部とを有する瓶を、前記瓶の胴部の周囲に隙間を設けた状態で包装箱内に横置きで保持する包装箱用の瓶保持体であって、前記瓶の底部を保持する底部保持部と、前記瓶の肩部又は首部を下側から保持する中間保持部と、前記瓶の頭部の上方及び側方への移動を規制する頭部規制部と、を備え、前記底部保持部は、前記瓶の底部側に立設される第１横板部と、前記第１横板部に穿設され前記瓶の底部を挿入する底部挿入孔と、を有し、前記中間保持部は、前記瓶の下側に離間して配置される底板部と、前記底板部から上向きに突出する中間突出部と、前記中間突出部に凹設され前記瓶の肩部又は首部に嵌合する中間凹部と、を有し、前記頭部規制部は、前記瓶の頭部側に立設される第２横板部と、前記第２横板部から前記瓶の頭部の上方に突出する頭部突出部と、前記頭部突出部の下側に凹設された凹欠部と、を有し、前記凹欠部は、前記瓶の頭部に上方及び側方から係合しており、前記凹欠部の上端側は、前記瓶の頭部に設置された蓋部材を超える位置に配置されていることを特徴とする。
【００３３】
このような構成によれば、頭部規制部は、瓶の頭部の上方及び側方への移動を規制し、凹欠部は、前記瓶の頭部に上方及び側方から係合しており、前記凹欠部の上端側は、前記瓶の頭部に設置された蓋部材を超える位置に配置されているので、瓶の頭部の上方又は側方への移動が確実に規制される。そのため、頭部規制部による瓶の保持力が増大し、底部保持部及び中間保持部の負担が軽減されるので、例えば包装箱の移送中に瓶保持体が破損することを抑制することができる。
【発明の効果】
【００３４】
本発明によれば、瓶の胴部に貼り付けたラベルの保護が可能な包装箱用の瓶保持体及び補助部材を提供することができる。
【図面の簡単な説明】
【００３５】
【図１】第１実施形態に係る瓶保持体を右上後方から見下ろした斜視図である。
【図２】瓶保持体を左上前方から見下ろした斜視図である。
【図３】瓶保持体の展開図である。
【図４】図１のＩＶ−ＩＶ矢視断面図である。
【図５】図４に示すＶ部の拡大断面図である。
【図６】図４に示すＶＩ部の拡大断面図である。
【図７】変形例に係る瓶保持体の断面図である。
【図８】第２実施形態に係る補助部材を瓶保持体と組み合わせた状態を示す断面図である。
【図９】補助部材を斜め下から見上げた斜視図である。
【図１０】補助部材の展開図である。
【図１１】第３実施形態に係る瓶保持体の断面図である。
【図１２】第３実施形態に係る瓶保持体の展開図である。
【発明を実施するための形態】
【００３６】
本発明の第１実施形態について、図１乃至図６を参照して詳細に説明する。説明において、同一の要素には同一の番号を付し、重複する説明は省略する。また、方向を説明する場合は、図１等に示すように、包装箱の底壁を下側にした場合を基準とした上下左右前後に基づいて説明する。ここで、「前」及び「後」は、包装箱内に横置きで収容された瓶の「頭部側」及び「底部側」にそれぞれ一致する。また、包装箱の中心に向かう方向を「箱内側」と称する場合がある。
【００３７】
図１は、第１実施形態に係る瓶保持体を右上後方から見下ろした斜視図である。図２は、瓶保持体を左上前方から見下ろした斜視図である。なお、図１では、包装箱１０を仮想線（二点鎖線）で描いている。
第１実施形態に係る包装箱用の瓶保持体１（以下、単に「瓶保持体１」という）の説明に先立って、包装箱１０及び瓶２０の構造について説明する。
【００３８】
図１に示すように、包装箱１０は、商品である瓶２０を包装するための箱であり、例えば左右方向に長尺な長方体形状の段ボール箱等で構成されている。包装箱１０は、底壁１１と、底壁１１の四辺から起立する前側壁１２、後側壁１３、右側壁１４及び左側壁１５と、前側壁１２の上端に折り曲げ可能に設けられた上蓋１６と、を備えている。上蓋１６は、図示しないフラップで後側壁１３に係合できるようになっている。包装箱１０の内部には、瓶保持体１が設置されており、瓶保持体１の上には６本（図１では１本のみ図示）の瓶２０が頭部２５を前側壁１２に向けるとともにラベル２６を上に向けて並列配置される。
【００３９】
なお、包装箱１０の構造は、瓶保持体１及び瓶２０を収容できるものであれば、特に限定されるものではない。例えば、図示は省略するが、上面が開口した箱本体と下面が開口した箱状の上蓋との２部材で包装箱を構成してもよい。
【００４０】
瓶２０は、酒類等の飲料や調味料などが充填された容器であり、例えばガラスや陶器等で構成されている。瓶２０は、底部２１、胴部２２、肩部２３、首部２４、頭部２５、をこの順に備えている。胴部２２は、例えば一定の径に形成された円筒状の部位である。胴部２２の外周面にはラベル２６が貼り付けられている。肩部２３は、胴部２２と首部２４の間の領域であり、第１実施形態では、首部２４に向かって徐々に径が小さくなる円錐台形状に形成されている。首部２４は、胴部２２よりも細い略円筒状の部位である。頭部２５は、首部２４の先端の開口部を含む部位である。第１実施形態では、頭部２５に王冠２７を設置して開口部を閉塞している。
【００４１】
なお、瓶２０の形状は、胴部よりも細い首部を有していれば、特に限定されるものではない。例えば、胴部から頭部にかけて徐々に細くなるような、肩部と首部の区別が明確でない形状の瓶等であってもよい。また、王冠２７以外の方式（例えばコルク栓やねじ式キャップ等）で頭部２５の開口部を閉塞してもよい。
【００４２】
次に、第１実施形態に係る瓶保持体１について、図１乃至図６を参照して説明する。
図３は、瓶保持体の展開図である。図４は、図１のＩＶ−ＩＶ矢視断面図である。図５は、図４に示すＶ部の拡大断面図である。図６は、図４に示すＶＩ部の拡大断面図である。
【００４３】
図１乃至図４に示すように、瓶保持体１は、例えば段ボール等の板状体を所定形状に折り曲げて形成した部材であり、包装箱１０の内部で６本の瓶２０を横置き状態で保持する機能を有している。瓶保持体１は、図３に示すように、展開した状態で１枚の板状体となる。なお、図３では、展開した瓶保持体１を上から見て、複数の谷折れ線ｖ１〜ｖ５を一点鎖線で示し、複数の山折れ線ｍ１〜ｍ８を破線で示してある。
瓶保持体１は、瓶２０の底部２１を保持する底部保持部３０と、瓶２０の肩部２３を下側から保持する中間保持部４０と、瓶２０の頭部２５の上側への移動を規制する頭部規制部５０と、を備えている。
【００４４】
図１乃至図５（主に図５）に示すように、底部保持部３０は、瓶２０の底部２１側に立設される第１横板部３１と、第１横板部３１に穿設された６個の底部挿入孔３２と、包装箱１０の後側壁１３と第１横板部３１の間に配置される底部側折返し部３３と、各底部挿入孔３２の周縁３２ａに設けられた折曲片３４と、を有している。
【００４５】
第１横板部３１は、底部挿入孔３２に挿入された瓶２０の底部２１を上下及び左右に移動不能に保持する部位である。第１横板部３１は、包装箱１０の左右方向の全長に亘って延設されている。第１横板部３１の下端側は、後記する底板部４１に谷折れ線ｖ１を介して連続している。第１横板部３１は、上側に向かうほど箱内側に位置するように傾斜する下傾斜部３１ａと、下側に向かうほど箱内側に位置するように傾斜する上傾斜部３１ｂと、を有している。換言すれば、下傾斜部３１ａと上傾斜部３１ｂは、山折れ線ｍ１を介して連続し、側面視で略く字状に屈曲している。これにより、第１横板部３１は、底部側折返し部３３に対して全体的に箱内側に離間しており、両者の間に瓶２０の底部２１を配置するための空間が形成される。
【００４６】
底部挿入孔３２は、瓶２０の底部２１と略同形状に形成された貫通孔であり、第１横板部３１の上下方向の中央部付近に、左右方向に互いに間隔を空けて６箇所形成されている。底部挿入孔３２は、底板部４１側の周縁３２ａが方形（直線状）に形成されており、底板部４１側以外の周縁３２ｂが円弧状に形成されている。底部挿入孔３２の周縁３２ａ，３２ｂが瓶２０の底部２１の外周面に当接することで、底部２１の上下左右への移動が規制される。
【００４７】
底部側折返し部３３は、第１横板部３１の上端に山折れ線ｍ２を介して連続して形成された板状の部位である。底部側折返し部３３は、第１横板部３１の上端を支持している。底部側折返し部３３は、底部挿入孔３２に挿入された瓶２０の底部２１に当接している。
【００４８】
折曲片３４は、底部挿入孔３２の底板部４１側の周縁３２ａに山折れ線ｍ３を介して連続する部位である。折曲片３４は、底部側折返し部３３に向かって折り曲げられており、折曲片３４の先端は、底部側折返し部３３に当接している。これにより、第１横板部３１と底部側折返し部３３との間隔が保たれ、底部挿入孔３２から瓶２０の底部２１が外れ難くなる。
【００４９】
図１乃至図４（主に図４）に示すように、中間保持部４０は、瓶２０の胴部２２の下側に離間して配置される底板部４１と、底板部４１から上向きに突出する中間突出部４２と、中間突出部４２に凹設され瓶２０の肩部２３付近に嵌合する中間凹部４３と、中間凹部４３の後側及び前側の周縁４３ｂ，４３ｃにそれぞれ連続する一対の切欠片４４と、を有している。
【００５０】
底板部４１は、瓶２０の胴部２２に対応する領域において包装箱１０の底壁１１に重畳して設置される平板状の部位であり、平面視で長方形状に形成されている。底板部４１の後端側は、谷折れ線ｖ１を介して第１横板部３１に連続しており、底板部４１の前端側は、谷折れ線ｖ２を介して中間突出部４２に連続している。また、底板部４１の左右端部には、谷折れ線ｖ３を介して左右一対の小片４１ａがそれぞれ設けられている。
【００５１】
中間突出部４２は、底板部４１に対して箱内側に山形に突出する部位である。中間突出部４２は、包装箱１０の左右方向の全長に亘って延設されている。中間突出部４２は、底板部４１に谷折れ線ｖ２を介して連続する後傾斜部４２ａと、後傾斜部４２ａの上端に山折れ線ｍ４を介して連続する前傾斜部４２ｂとを有している。後傾斜部４２ａは、前傾斜部４２ｂよりも傾斜長が小さくなっている。また、後傾斜部４２ａは、前傾斜部４２ｂよりも傾斜角度が急勾配になっている。これにより、山折れ線ｍ４によって形成される頂部４２ｃは、中間突出部４２の後寄りの部分に偏倚して配置される。前傾斜部４２ｂの下端側は、谷折れ線ｖ４を介して後記する第２横板部５１に連続している。
【００５２】
中間凹部４３は、頂部４２ｃを含む領域で中間突出部４２を切欠いて形成した凹部である。中間凹部４３は、中間突出部４２の左右方向に互いに間隔を空けて６箇所設けられている。第１実施形態では、中間凹部４３は、少なくとも瓶２０の肩部２３を含む部位に対応する位置に設けられている。中間凹部４３は、前端側及び後端側が方形に切欠かれるとともに、頂部４２ｃ付近が円弧状に幅広に切欠かれている（図３参照）。中間凹部４３のうち、この円弧状に幅広に切欠かれた部位４３ａに、胴部２２の一部と肩部２３とが嵌合することにより、瓶２０が左右及び下方に移動不能に保持される。
【００５３】
一対の切欠片４４は、後側切欠片４４ａと前側切欠片４４ｂとの２片で構成されている。後側切欠片４４ａは、中間凹部４３の後側（瓶２０の底部２１側）の周縁４３ｂに山折れ線ｍ５を介して連続しており、前側切欠片４４ｂは、中間凹部４３の前側（瓶２０の頭部２５側）の周縁４３ｃに山折れ線ｍ６を介して連続している。後側切欠片４４ａ及び前側切欠片４４ｂは、瓶保持体１を組み立てた状態で、中間凹部４３の内部に落とし込むように折り曲げられている。これにより、瓶保持体１を上方から見たときに、後側切欠片４４ａ及び前側切欠片４４ｂによって中間凹部４３の内部が被覆され、包装箱１０の底面が見え難くなり意匠性が向上する。
【００５４】
図１乃至図４及び図６（主に図６）に示すように、頭部規制部５０は、瓶２０の頭部２５側に立設される第２横板部５１と、第２横板部５１から瓶２０の頭部２５の上方に突出する頭部突出部５２と、頭部突出部５２の下側を半円状に切欠いて形成された凹欠部５３と、頭部突出部５２の上端から前側壁１２に向かって水平に延出する上辺部５４と、上辺部５４の先端から下方に向かって折り返された頭部側折返し部５５と、を有している。
【００５５】
第２横板部５１は、前傾斜部４２ｂの下端側（前端側）に谷折れ線ｖ４を介して連続して略垂直に立設された壁状部位である。第２横板部５１は、瓶２０の頭部２５に設置された王冠２７の頂面に当接している。第２横板部５１の上端は、頭部２５の上下方向の略中央に位置している。また、第２横板部５１の上端は、谷折れ線ｖ５を介して頭部突出部５２に連続している。
【００５６】
頭部突出部５２は、瓶２０の頭部２５の上方への移動を規制する部位である。頭部突出部５２は、包装箱１０の左右方向の全長に亘って延設されている。頭部突出部５２は、第２横板部５１の上端から斜め上方へ延出しており、上に向かうほど箱内側に位置するように傾斜している。頭部突出部５２の下側には、６個の凹欠部５３が互いに左右方向に間隔を空けて形成されている。
【００５７】
図６に示すように、凹欠部５３は、頭部突出部５２の下側を半円状に切り欠いて形成された凹部である。凹欠部５３は、瓶２０の頭部２５に設置された王冠２７の上半部に上側から係合している。凹欠部５３の周縁は、波形に形成された王冠２７の側面２７ａに当接している。これにより、王冠２７の端部２７ｂが凹欠部５３の周縁に引っ掛かることがないので、瓶２０の取り外しが容易になる。
【００５８】
上辺部５４は、頭部突出部５２の上端を支持する部位である。上辺部５４の後端は、山折れ線ｍ７を介して頭部突出部５２の上端に連続している。上辺部５４の前端は、山折れ線ｍ８を介して頭部側折返し部５５の上端に連続している。
【００５９】
頭部側折返し部５５は、上辺部５４の前端から下方に垂設された板状の部位である。頭部側折返し部５５は、上辺部５４を介して頭部突出部５２の上端を支持している。頭部側折返し部５５は、包装箱１０の前側壁１２と第２横板部５１との間に配置されている。
【００６０】
図４に示すように、瓶保持体１は、底部側折返し部３３と第２横板部５１とで瓶２０の底部２１と頭部２５を挟持している。換言すれば、瓶保持体１を包装箱１０の内部に設置した状態で、底部側折返し部３３から第２横板部５１までの長さ寸法は、瓶２０の長さ寸法に略等しくなっている。これにより、瓶２０の底部２１と底部側折返し部３３との摩擦抵抗と、瓶２０の頭部２５と第２横板部５１との摩擦抵抗とによって、包装箱１０の搬送時に瓶２０が回転し難くなる。
【００６１】
第１実施形態に係る包装箱用の瓶保持体１は、基本的に以上のように構成されるものであり、次に、瓶保持体１の作用効果について説明する。
【００６２】
第１実施形態に係る包装箱用の瓶保持体１によれば、図１、図４に示すように、底部挿入孔３２に挿入された瓶２０の底部２１が第１横板部３１に保持され、中間凹部４３に嵌合した瓶２０の肩部２３付近が中間突出部４２に保持されるので、瓶２０の胴部２２が底板部４１から浮いた状態で支持される。これにより、瓶２０の胴部２２の周囲に隙間を確保することが可能となり、搬送中に瓶２０が回転した場合でも、包装箱１０の内面や他の瓶２０等にラベル２６が接触することがない。また、第１横板部３１及び中間突出部４２によって瓶２０全体の下側への移動及び左右への移動が規制され、頭部突出部５２によって瓶２０の頭部２５の上側への移動が規制され、第１横板部３１によって瓶２０の底部２１の上側への移動が規制されるので、包装箱１０の搬送中に瓶２０が移動して包装箱１０の内面や他の瓶２０等にラベル２６が接触するのを防止することができる。そのため、ラベル２６を確実に保護することができる。
【００６３】
また、瓶保持体１によれば、図６に示すように、頭部突出部５２が、上側に向かうほど箱内側に突出するように傾斜しているので、瓶２０を瓶保持体１に設置したり取り出したりする際に、瓶２０の頭部２５と頭部突出部５２とが干渉するのを緩和することができる。そのため、瓶２０を包装箱１０に容易に収容したり取り出したりすることができる。
【００６４】
また、瓶保持体１によれば、図１、図６に示すように、頭部突出部５２の下側を半円状に切欠いて形成された凹欠部５３が、瓶２０の頭部２５に設置された王冠２７の上半部に上側から係合するので、例えば特許文献１のように瓶の頭部を貫通孔に挿入する場合に比較して、凹欠部５３に対する頭部２５の取り付け及び取り外しを容易に行うことができる。
【００６５】
また、瓶保持体１によれば、図６に示すように、凹欠部５３が、瓶２０の頭部２５に設置された王冠２７の側面２７ａに当接するので、瓶２０の頭部２５を凹欠部５３から取り外す際に、王冠２７の端部２７ｂが凹欠部５３の周縁に引っ掛かることがない。そのため、瓶２０の頭部２５を凹欠部５３からスムーズに取り外すことができるとともに、王冠２７が凹欠部５３に引っ掛かって瓶２０の頭部２５から脱落するのを防止することができる。
【００６６】
また、瓶保持体１によれば、図４に示すように、中間凹部４３が少なくとも瓶２０の肩部２３を含む部位に嵌合するので、瓶２０の首部２４を支持する場合に比較して、質量の大きい瓶２０の胴部２２の近く（すなわち瓶２０の重心の近く）を支持することができるので、瓶２０を安定して支持することができる。
【００６７】
また、瓶保持体１によれば、図４、図５、図６に示すように、底部側折返し部３３と第２横板部５１とで瓶２０の底部２１と頭部２５が挟持されるので、瓶２０の軸方向への移動を抑制することができると共に、摩擦抵抗によって瓶２０の回転を抑制することができる。なお、第１実施形態では、凹欠部５３の周縁が、波形に形成された王冠２７の側面２７ａに当接しているので、この部分の摩擦抵抗も瓶２０の回転抑制に寄与している。
【００６８】
また、瓶保持体１によれば、図５に示すように、折曲片３４の先端が底部側折返し部３３に当接しているので、第１横板部３１と底部側折返し部３３との間に隙間を確保することができ、瓶２０の底部２１が底部挿入孔３２から脱落し難くなる。
【００６９】
また、瓶保持体１によれば、図１、図４に示すように、中間凹部４３の周縁４３ｂ，４３ｃに連続して設けられた一対の切欠片４４が、中間凹部４３の内部に落とし込むように折り曲げられているので、中間凹部４３の内側領域を一対の切欠片４４で覆うことができる。そのため、瓶保持体１を上方から見たときに、一対の切欠片４４によって中間凹部４３の内部が被覆され、包装箱１０の底面が見え難くなり意匠性が向上する。
【００７０】
以上、第１実施形態に係る包装箱用の瓶保持体１について、図面を参照して詳細に説明したが、本発明はこれらの実施形態に限定されるものではなく、本発明の趣旨を逸脱しない範囲で適宜変更可能であることは言うまでもない。
【００７１】
例えば、第１実施形態では、瓶保持体１に６本の瓶２０を保持させる構成としたが、瓶２０を保持する本数はこれに限定されるものではなく、２本以上であれば何本でもよいし、複数本ではなく１本でもよい。
【００７２】
また、第１実施形態では、瓶２０の胴部２２の周囲に隙間を設けたが、本発明は、胴部２２と包装箱１０との間隔や隣り合う胴部２２同士の間隔が空いていればよく、例えば、紙や綿などで作った柔軟性の高い緩衝材や装飾材を当該隙間に敷き詰めるようにしてもよい。
【００７３】
また、第１実施形態では、中間突出部４２で、瓶２０の肩部２３付近を下側から保持することとしたが、本発明はこれに限定されるものではなく、瓶２０の首部２４を下側から保持するようにしてもよい。
【００７４】
また、第１実施形態では、中間突出部４２を、長さの異なる後傾斜部４２ａと前傾斜部４２ｂで構成したが、本発明はこれに限定されるものではなく、底板部４１から上側に突出した状態で瓶２０の中間部位を支持できれば、中間突出部４２の形状をどのように変更してもよい。
【００７５】
また、第１実施形態では、頭部突出部５２の下側に凹欠部５３を設けたが、本発明はこれに限定されるものではなく、頭部突出部５２で瓶２０の頭部２５の上側への移動を規制することができれば、凹欠部５３を省略してもよい。
【００７６】
以下、中間突出部４２と頭部突出部５２との変形例について図７を参照して詳細に説明する。なお、説明において、前記した実施形態と同一の要素には同一の符号を付し、重複する説明は省略する。図７は、変形例に係る瓶保持体の断面図である。
【００７７】
図７に示すように、変形例に係る瓶保持体１Ａは、中間突出部４２Ａ及び頭部突出部５２Ａの形状が、前記した実施形態と相違する。以下、相違点を中心に説明する。
【００７８】
変形例の中間突出部４２Ａは、後傾斜部４２ａと前傾斜部４２ｂとが同一長さに形成されており、全体として二等辺三角形状に形成されている。そして、中間突出部４２Ａと第２横板部５１との間には、第二の底板部４５が設けられている。このような形状でも、前記した実施形態と同様の作用効果を奏することができる。
【００７９】
また、変形例の頭部突出部５２Ａは、第２横板部５１の上端から箱内側に水平に延出する延出部５２ａと、延出部５２ａの先端から頭部側折返し部５５の上端に亘って傾斜して配置された傾斜部５２ｂと、を備えている。そして、延出部５２ａは、王冠２７に上側から当接している。このような構造によれば、凹欠部５３（図６参照）を省略しても、横置きされた瓶２０の頭部２５が搬送中に上側に移動するのを規制することができる。
【００８０】
次に、本発明の第２実施形態について、図８乃至図１０を参照して詳細に説明する。説明において、第１実施形態と同一の構成については同一の符号を付し、重複する説明を省略する。
第２実施形態では、瓶保持体１だけでなく、瓶２０の首部２４を保持する補助部材６０を用いている点が、第１実施形態と異なっている。
【００８１】
図８は、第２実施形態に係る補助部材を瓶保持体と組み合わせた状態を示す断面図である。図９は、補助部材を右斜め下から見上げた斜視図である。
図８及び図９に示すように、補助部材６０は、瓶保持体１に保持された瓶２０の首部２４を保持する部材であり、瓶保持体１と別体に形成されている。補助部材６０は、左右方向に細長く形成された四角筒状の本体部６１と、本体部６１の下側であって瓶２０の首部２４に対応する位置に凹設された複数（第２実施形態では６つ）の嵌合部６２と、を有している。
【００８２】
本体部６１は、複数の瓶２０の首部２４を左右方向に横断するように、包装箱１０の内部に設置されている。本体部６１は、包装箱１０の左右方向の内幅と同一の長さ寸法に形成されている。そのため、本体部６１を包装箱１０の内部に設置した状態において、本体部６１の左端部６１ｄ及び右端部６１ｅは、包装箱１０の左側壁１５及び右側壁１４（図１参照）にそれぞれ当接している。また、本体部６１の上壁部６１ｃは、包装箱１０の上蓋１６を閉じた状態で、当該上蓋１６に当接している。また、本体部６１の下壁部６１ｂは、瓶保持体１の中間保持部４０（より詳しくは中間突出部４２の前傾斜部４２ｂ）に当接している。これにより、本体部６１（補助部材６０）は、包装箱１０に対して左右方向及び上下方向に移動不能になっている。
【００８３】
本体部６１は、瓶２０の頭部２５側と胴部２２側に互いに離間して立設された一対の立壁部６１ａと、一対の立壁部６１ａの下端同士を連結する下壁部６１ｂと、一対の立壁部６１ａの上端同士を連結する上壁部６１ｃと、を備える筒状体から成る。前側（頭部２５側）の立壁部６１ａは、後側（底部２１側）の立壁部６１ａよりも高さ寸法が大きく形成されている。これにより、下壁部６１ｂは、中間突出部４２の前傾斜部４２ｂと平行に傾斜し、上壁部６１ｃは閉じた状態の上蓋１６と平行になる。
【００８４】
嵌合部６２は、瓶２０の首部２４に嵌合する凹部であり、首部２４と略同じ幅に形成されている。嵌合部６２は、首部２４に対応する位置において、一対の立壁部６１ａ及び下壁部６１ｂの一部を切り欠いて形成されている。具体的には、図９に示すように、一対の立壁部６１ａの下半部がそれぞれ逆Ｕ字形状に切り欠かれるとともに、下壁部６１ｂが、この逆Ｕ字形状の切り欠きを連通するように長方形状に切り欠かれている。嵌合部６２の上端は、瓶２０の首部２４に上側から当接している。
【００８５】
図１０は、補助部材の展開図である。
図１０に示すように、補助部材６０は、例えばダンボール等の紙部材で構成された一枚の板状体６０Ａを四角筒状に折り曲げて形成されている。
板状体６０Ａは、中央の下壁部６１ｂと、下壁部６１ｂの前後両側に谷折れ線ｖ１を介して連続する一対の立壁部６１ａと、一対の立壁部６１ａの下壁部６１ｂと反対側に谷折れ線ｖ２を介して連続する一対の折曲片６１ｆ，６１ｆと、を有している。一対の折曲片６１ｆ，６１ｆは、板状体６０Ａを筒状に折り曲げたときに上壁部６１ｃを構成する。また、板状体６０Ａは、一方の立壁部６１ａから下壁部６１ｂを横断して他方の立壁部６１ａまで連続する長孔形状の切欠部６２ａを複数有している。複数の切欠部６２ａは、板状体６０Ａを筒状に折り曲げたときに嵌合部６２を構成する。複数の切欠部６２ａは、瓶２０の首部２４に対応するように、左右方向に所定間隔を空けて形成されている。
【００８６】
一方の折曲片６１ｆの左右両端部には、平面視で四角形状の係合凹部６１ｇがそれぞれ形成されており、他方の折曲片６１ｆの左右端部には、係合凹部６１ｇ，６１ｇに係合する係合片６１ｈ，６１ｈが折り曲げ可能に設けられている。係合片６１ｈは、基端側が係合凹部６１ｇと略同幅で、先端側が係合凹部６１ｇよりも幅広となる台形状に形成されている。係合片６１ｈは、図９に示すように、一方の折曲片６１ｆの上に他方の折曲片６１ｆを重ねた状態で、係合片６１ｈを筒状体の内側に折り曲げることで、係合凹部６１ｇに係合する。これにより、一枚の板状体６０Ａを四角筒状に保持することができる。
【００８７】
第２実施形態に係る補助部材６０によれば、瓶２０の首部２４を横断するように配置された本体部６１の左端部６１ｄ及び右端部６１ｅが、包装箱１０の瓶２０の軸方向に平行な左側壁１５及び右側壁１４にそれぞれ当接するとともに、上壁部６１ｃが包装箱１０の上蓋１６に当接するので、包装箱１０に対して本体部６１が保持される。そして、本体部６１の下側に凹設された嵌合部６２に瓶２０の首部２４が嵌合することで、瓶２０の首部２４が本体部６１に保持される。その結果、瓶２０の首部２４が補助部材６０を介して包装箱１０に保持されることとなり、瓶２０の底部２１等を保持する瓶保持体１の負担が軽減されるので、例えば包装箱１０の移送中に瓶保持体１の第１横板部３１等が破損するのを抑制することができる。
【００８８】
また、補助部材６０によれば、本体部６１は、一対の立壁部６１ａと下壁部６１ｂと上壁部６１ｃとを備える筒状体から成るので、補助部材６０の追加による包装箱１０の重量増加を軽減することができる。また、首部２４に対応する位置で一対の立壁部６１ａ及び下壁部６１ｂの一部を切り欠くという簡易な手法で嵌合部６２を容易に形成することができる。
【００８９】
また、補助部材６０によれば、一対の立壁部６１ａの上端にそれぞれ設けられた一対の折曲片６１ｆを重ね合わせ、一方の折曲片６１ｆの両端部に形成された係合凹部６１ｇに、他方の折曲片６１ｆの両端部に形成された係合片６１ｈを係合させることで、接着剤等の固着具を用いることなく、筒状体を容易に形成することができる。そのため、補助部材６０を組み立てる手間を軽減することができる。
【００９０】
次に、第３実施形態に係る瓶保持体１０１について、図１１及び図１２を参照して詳細に説明する。説明において、前記した第１実施形態と同一の要素については、同一の符号を付し、重複する説明を省略する。
第３実施形態に係る瓶保持体１０１は、頭部突出部１５２及び中間突出部１４２の構造が前記した第１実施形態と異なっている。
【００９１】
図１１は、第３実施形態に係る瓶保持体の断面図である。図１２は、第３実施形態に係る瓶保持体の展開図である。
図１１に示すように、第３実施形態に係る瓶保持体１０１では、第１実施形態に比較して頭部突出部１５２が箱内側に大きく突出している。これにより、頭部突出部１５２の下側に形成された凹欠部１５３の上端部１５３ａは、蓋部材である王冠２７よりも箱内側に配置された状態となる。その結果、凹欠部１５３の上端部１５３ａは、瓶２０の頭部２５に上方から係合し、凹欠き部１５３の側端部は、瓶２０の頭部２５及び王冠２７に側方から係合する。そのため、瓶保持体１０１による瓶２０の頭部２５の保持力が向上し、瓶２０の頭部２５の上方及び側方への移動が確実に規制される。なお、凹欠部１５３の上端部１５３ａには、切欠片１５３ｂが設けられている。
【００９２】
中間突出部１４２は、底板部４１の中央部から谷折れ線ｖ２を介して垂直に立ち上がる後壁部１４２ａと、後壁部１４２ａの上端から山折れ線ｍ４を介して前方に水平に延出する中間部１４２ｂと、中間部１４２ｂの前端から山折れ線ｍ９を介して下方に垂直に立ち下がる前壁部１４２ｃと、を有している。すなわち、中間突出部１４２は、断面視で四角形状（テーブル状）に形成されている。前壁部１４２ｃの下端部は、谷折れ線ｖ４を介して頭部規制部５０の第２横板部５１に連続している。また、前壁部１４２ｃは、第２横板部５１に密着している。これにより、第２横板部５１の剛性（頭部突出部１５２の下端部の支持剛性）が向上する。また、中間突出部１４２が前後方向に変位不能となり、平行四辺形状に潰れ難くなる。
【００９３】
ちなみに、中間突出部１４２の前壁部１４２ｃと頭部規制部５０の第２横板部５１の境界にある谷折れ線ｖ４は、谷側となる方から板状体の厚みの半分程度だけ刃を挿入してカットするいわゆる「半切れ」という技法で加工されている。これにより、谷折れ線ｖ４を介して前壁部１４２ｃと第２横板部５１とをきれいに折り返すことができる。
【００９４】
後壁部１４２ａと中間部１４２ｂとで構成される角部には、瓶２０の肩部２３を保持する中間凹部１４３が形成されている。中間凹部１４３の構造は、基本的に第１実施形態の中間凹部４３と同様であるので詳細な説明は省略する。
【００９５】
図１２に示すように、瓶保持体１０１は、例えばダンボール等の紙部材からなる一枚の板状体を折り曲げて形成されている。そのため、第２実施形態の補助部材６０のように別部材を用いる必要がないので、組立作業を煩雑にすることなく、瓶２０の保持力を高めることができる。
【００９６】
第３実施形態に係る瓶保持体１０１によれば、凹欠部１５３は、瓶２０の頭部２５に上方及び側方から係合しており、凹欠部１５３の上端部１５３ａは、瓶２０の頭部２５に設置された蓋部材である王冠２７を超える位置に配置されているので、瓶２０の頭部２５の上方又は側方への移動が確実に規制される。そのため、頭部規制部５０による瓶２０の保持力が増大し、底部保持部３０及び中間保持部４０の負担が軽減されるので、例えば包装箱１０の移送中に瓶保持体１０１が破損することを抑制することができる。
【００９７】
なお、第３実施形態では、中間突出部１４２を断面視四角形状（テーブル状）に形成したが、本発明はこれに限定されるものではなく、例えば第１実施形態のように、中間突出部１４２を三角形状（山形状）に形成してもよい。
【符号の説明】
【００９８】
１，１０１      瓶保持体
１０    包装箱
２０    瓶
２１    底部
２２    胴部
２３    肩部
２４    首部
２５    頭部
２６    ラベル
２７    王冠
３０    底部保持部
３１    第１横板部
３２    底部挿入孔
３３    底部側折返し部
３４    折曲片
４０    中間保持部
４１    底板部
４２，１４２    中間突出部
４３，１４３    中間凹部
４４    切欠片
５０    頭部規制部
５１    第２横板部
５２，１５２    頭部突出部
５３，１５３    凹欠部
５５    頭部側折返し部
６０    補助部材
６１    本体部
６２    嵌合部
【図１】
2014012557.tif 000003
【図２】
2014012557.tif 000004
【図３】
2014012557.tif 000005
【図４】
2014012557.tif 000006
【図５】
2014012557.tif 000007
【図６】
2014012557.tif 000008
【図７】
2014012557.tif 000009
【図８】
2014012557.tif 000010
【図９】
2014012557.tif 000011
【図１０】
2014012557.tif 000012
【図１１】
2014012557.tif 000013
【図１２】
2014012557.tif 000014